(57)【要約】    【課題】  別途冷却ファンを設けたり、既設の冷却ファンの容量を増したりすることなく、極めて簡単かつ効果的に、稼動時に熱を発生する熱発生部品からなる熱源およびこの熱源に電力を供給する電源基板を、冷却することができる電子機器装置および画像形成装置を提供することを目的とする。    【解決手段】  放熱機能を有する支持体２２に装着したサーマルヘッド２と、筐体１１内に配設され、前記サーマルヘッド２に電力を供給する電源基板５と、これらサーマルヘッド２および電源基板５を冷却するために外気を取り込む冷却ファン７とを備えた画像形成装置において、前記筐体１１の側壁に設けられた冷却ファン７近傍の前記電源基板５の基板５１上に、冷却ファン７からの冷却風を前記サーマルヘッド２に向けて案内する一対の放熱板８を、対峙して前記サーマルヘッド２から離間して植設する。【選択図】図２
2005111713.tif 000002
【特許請求の範囲】
【請求項１】
放熱機能を有する支持体に装着したサーマルヘッドと、筐体内に配設され、前記サーマルヘッドに電力を供給する電源基板と、これらサーマルヘッドおよび電源基板を冷却するために外気を取り込む冷却ファンとを備えた画像形成装置において、
前記筐体の側壁に設けられた冷却ファン近傍の前記電源基板の基板上に、冷却ファンからの冷却風を前記サーマルヘッドに向けて案内する一対の放熱板を、対峙して前記サーマルヘッドから離間して植設したことを特徴とする画像形成装置。
【請求項２】
稼動時に熱を発生する熱発生部品からなる熱源と、筐体内に配設され、前記熱源に電力を供給する電源基板と、これら熱源および電源基板を冷却するために外気を取り込む冷却ファンとを備えた電子機器装置において、
前記筐体の側壁に設けられた冷却ファン近傍の前記電源基板の基板上に、冷却ファンからの冷却風を前記熱源に向けて案内する一対の放熱板を、対峙して前記サーマルヘッドから離間して植設したことを特徴とする電子機器装置。
【請求項３】
前記電源基板を構成する電子部品の内の一部の他の熱発生部品を、前記放熱板に装着したことを特徴とする請求項１に記載の画像形成装置。
【請求項４】
前記電源基板を構成する電子部品の内の一部の他の熱発生部品を、前記放熱板に装着したことを特徴とする請求項２に記載の電子機器装置。
【請求項５】
前記稼動時に熱を発生する熱発生部品からなる熱源を、放熱機能を有する支持体に装着したことを特徴とする請求項２に記載の電子機器装置。
【請求項６】
前記放熱板に装着された他の熱発生部品が、電圧制御素子であることを特徴とする請求項３に記載の画像形成装置。
【発明の詳細な説明】
【技術分野】
【０００１】
本発明は、稼動時に熱を発生する熱発生部品からなる熱源、例えばサーマルヘッドを備えた熱転写プリンタである画像形成装置などの電子機器装置に関し、特に前記熱源および前記熱源に電力を供給する電源基板を構成する熱発生部品を、簡単な構成で効果的に冷却できるようにしたものである。
【背景技術】
【０００２】
周知の通り、電子機器装置、例えば画像形成装置である熱転写式プリンタなどにあっては、サーマルヘッドおよびこのサーマルヘッドに電力を供給する電源基板を構成する電源トランス、電圧制御素子例えば、電界効果トランジスタ（以下単にＦＥＴと称す）、コイルなどの電子部品は、稼動時に熱を発生する熱発生部品として知られており、これらを効果的に冷却する必要がある。
【０００３】
上述の点を考慮して従来では、サーマルヘッドの背面に設けられたヒートシンクを配置した冷却室に、冷却風を冷却ファンにより送付するとともに、前記冷却室からチューブを介して少量の冷却風を定着部に送風するようにしたものがある(例えば、特許文献1参照）。
【特許文献１】特開２００２−３２１４２６号公報
【発明の開示】
【発明が解決しようとする課題】
【０００４】
、
しかし、前述の特許文献１記載の構成では、冷却ファンからの冷却風の大部分は、サーマルヘッドのみの冷却に消費されて外部に排気され、僅かな冷却風により定着部が冷却されているのみで、電力を供給するために必要な熱発生部品を有する電源基板などは全く冷却されないなどの不都合がる。
【０００５】
この対策として、前述の特許文献１記載の構成では、電源基板を冷却するためには、別途冷却ファンを設ける必要があり、その構成部品が増えるとともに、価格の高騰を招来する他、大型化する、などといった課題がある。
【０００６】
本発明は、上述した問題を解決するためになされたものであり、別途冷却ファンを設けたり、既設の冷却ファンの容量を増したりすることなく、極めて簡単かつ効果的に、稼動時に熱を発生する熱発生部品からなる熱源およびこの熱源に電力を供給する電源基板を、冷却することができる電子機器装置および画像形成装置を提供することを目的とする。
【課題を解決するための手段】
【０００７】
かかる目的を達成するため、請求項１記載の発明では、放熱機能を有する支持体に装着したサーマルヘッドと、筐体内に配設され、前記サーマルヘッドに電力を供給する電源基板と、これらサーマルヘッドおよび電源基板を冷却するために外気を取り込む冷却ファンとを備えた画像形成装置において、前記筐体の側壁に設けられた冷却ファン近傍の前記電源基板の基板上に、冷却ファンからの冷却風を前記サーマルヘッドに向けて案内する一対の放熱板を、対峙して前記サーマルヘッドから離間して植設する。
【０００８】
請求項２記載の発明では、稼動時に熱を発生する熱発生部品からなる熱源と、筐体内に配設され、前記熱源に電力を供給する電源基板と、これら熱源および電源基板を冷却するために外気を取り込む冷却ファンとを備えた電子機器装置において、前記筐体の側壁に設けられた冷却ファン近傍の前記電源基板の基板上に、冷却ファンからの冷却風を前記熱源に向けて案内する一対の放熱板を、対峙して前記サーマルヘッドから離間して植設する。
【０００９】
請求項３記載の発明では、前記電源基板を構成する電子部品の内の一部の他の熱発生部品を、前記放熱板に装着する。
【００１０】
請求項４記載の発明では、前記電源基板を構成する電子部品の内の一部の他の熱発生部品を、前記放熱板に装着する。
【００１１】
請求項５記載の発明では、前記稼動時に熱を発生する熱発生部品からなる熱源を、放熱機能を有する支持体に装着する。
【００１２】
請求項６記載の発明では、電圧制御素子を前記放熱板に装着する。
【発明の効果】
【００１３】
請求項１記載の発明の構成によれば、冷却ファン近傍の前記電源基板の基板上に対峙して植設した一対の放熱板により、冷却ファンからの冷却風がサーマルヘッドに向けて案内され、効果的に前記サーマルヘッドが冷却される。また、前記冷却風が電源基板内を満遍なく循環するとともに、この冷却風によって冷却される放熱板の放熱作用と相俟って、電源基板を構成する電子部品も効果的に冷却される、などといった効果を奏する。
【００１４】
請求項２記載の発明の構成によれば、冷却ファン近傍の前記電源基板の基板上に対峙して植設した一対の放熱板により、冷却ファンからの冷却風が稼動時に熱を発生する熱発生部品からなる熱源に向けて案内され、効果的に前記熱源が冷却される。また、前記冷却風が電源基板内を満遍なく循環するとともに、この冷却風によって冷却される放熱板の放熱作用と相俟って、電源基板を構成する電子部品も効果的に冷却される、などといった効果を奏する。
【００１５】
請求項３記載の発明の構成によれば、放熱板に装着された電源基板を構成する電子部品の内の他の熱発生部品は、放熱板を介して効果的に放熱されるので、好ましい。
【００１６】
請求項４記載の発明の構成によれば、前述の請求項３記載の発明と同様に、放熱板に装着された電源基板を構成する電子部品の内の他の熱発生部品は、放熱板を介して効果的に放熱されるので、好ましい。
【００１７】
請求項５記載の発明の構成によれば、稼動時に熱を発生する熱発生部品からなる熱源が、放熱機能を有する支持体に装着されているので、極めて効率的に冷却され、冷却効果が向上する。
【００１８】
請求項６記載の発明の構成によれば、放熱板に装着された電圧制御素子は、放熱板を介して効果的に放熱されるので、好ましい。
【発明を実施するための最良の形態】
【００１９】
放熱機能を有する支持体に装着したサーマルヘッドと、筐体内に配設され、前記サーマルヘッドに電力を供給する電源基板と、これらサーマルヘッドおよび電源基板を冷却するために外気を取り込む冷却ファンとを備えた画像形成装置において、前記筐体の側壁に設けられた冷却ファン近傍の前記電源基板の基板上に、冷却ファンからの冷却風を前記サーマルヘッドに向けて案内する一対の放熱板を、対峙して前記サーマルヘッドから離間して植設し、この放熱板に電圧制御素子を装着する。
【実施例】
【００２０】
以下、本発明の一実施例を図１乃至図２に基づき説明する。図１は、本発明の一実施例による電子機器装置である画像形成装置の要部を示す概略一部断面構成図、図２は、図１に示す画像形成装置の電源基板と冷却ファンおよびサーマルヘッド近傍を示す概略構成平面図である。
【００２１】
１は、稼動時に熱を発生する熱発生部品からなる熱源、例えばサーマルヘッド２を備えた熱転写プリンタである画像形成装置で、図示しない制御部からの指令により感熱紙３に、前記サーマルヘッド２により所望の画像を印字する。４は、前記感熱紙３を搬送する搬送路で、給紙ローラ４１、キャプスタンローラ４２、ニップローラ４３、プラテンローラ４４などにより形成されている。５は、筐体１１内に配設された電源基板で、基板５１に電源トランス５２、ＦＥＴ５３、コイル５４、更にはトランジスタ、コンデンサ、抵抗などを装着して構成されており、主に前記サーマルヘッド２や後述する定着部６、冷却ファン７などに電力を供給する。この電源基板５を構成する前記電源トランス５２やＦＥＴ５３などは、稼動時に発熱を伴うので、冷却するのが好ましい。
【００２２】
前記定着部６は、前記基板５１上に設けた支持枠６１に紫外線ランプ６２や図示しない反射板を取付けて構成され、図示しない制御部により制御されて、紫外線ランプ６２を選択的に点灯させ、搬送路４を移動する感熱紙３に向かって紫外線を照射して定着する。この定着部６も点灯により発熱するので、冷却するのが好ましい。また、前記冷却ファン７は、筐体１１の側壁に設けられ、前記稼動時に熱を発生する熱発生部品からなる熱源であるサーマルヘッド２および電源基板５、すなわちこの電源基板５を構成する電源トランス５２、ＦＥＴ５３、コイル５４更にはトランジスタ、コンデンサ、抵抗などの電子部品を冷却するために、矢印Ａで示すように外気を取り込むように構成されている。
【００２３】
本発明にしたがい、前記冷却ファン７の近傍の前記電源基板５の基板５１上には、前記冷却ファン７からの冷却風を前記サーマルヘッド２に向けて案内する一対の放熱板８−８を、対峙して前記サーマルヘッド２から離間して植設している。この放熱板８は、アルミニュームなどの熱伝達が良く、加工し易い材料により形成されており、図示しないが必要に応じて放熱板８にフィンを設けても良いのは勿論である。８１は、前記放熱板８の取付け部で、ボルト・ナットを用いて基板５１に植設するように取付けられている。
【００２４】
前記サーマルヘッド２は、前記感熱紙３の幅方向にライン状に多数の発熱素子２１を配設して形成され、その背面に放熱機能を有する例えば、アルミニュームなどからなる支持体２２に装着されている。したがって、画像を印字する際、サーマルヘッド２に発生した熱は、前記支持体２２に伝達され、この支持体２２から放熱することができるので、好ましい。
【００２５】
また、前記電源基板２を構成する電子部品の内の一部の他の熱発生部品、例えばＦＥＴ５３を、図示するように前記放熱板８の内面側にその一部の面が密着するように装着すると、装着したＦＥＴ５３を効果的に冷却することができ、好ましい。
【００２６】
なお、図中９は、必要に応じて設けられるアルミニュームなどからなる放熱板で、この放熱板９は、電源トランス５２からの輻射熱を受けこれを放熱するとともに、他の電子部品を遮蔽し、直接的に影響しないようにしている。９１は、この放熱板９の取付け部で、ボルト・ナットを用いて基板５１に取付けられている。
【００２７】
以上の構成による実施例では、この種熱転写プリンタである画像形成装置１を稼動し、サーマルヘッド２などが発熱した際、冷却ファン７近傍の前記電源基板５の基板５１上に対峙して植設した一対の放熱板８−８により、冷却ファン７により外部から取り込んだ冷却風が、矢印Ｂで示すようにサーマルヘッド２に向けて案内され、効果的に前記サーマルヘッド２が冷却される。また、前記放熱板８とサーマルヘッド２との間に適当な空間が形成されているので、前記冷却風が電源基板５内を矢印Ｃで示すように満遍なく循環するとともに、この冷却風によって冷却される放熱板８の放熱作用と相俟って、電源基板２を構成する電源トランス５２、ＦＥＴ５３、コイル５４、トランジスタ、コンデンサ、抵抗などの電子部品、更には定着部６も効果的に冷却される。したがって、前記冷却ファン７の容量を殊更大きくする必要はなく、しかも安価にしてこの種装置の大型化や騒音増大を招来することなくなる、などといった効果を奏する。
【００２８】
なお、上述した実施例は、本発明の好適な実施例であるが、本発明はこれに限定されるものではなく、本発明の要旨を逸脱しない範囲において、種々変形実施可能である。
【図面の簡単な説明】
【００２９】
【図１】本発明の一実施例による電子機器装置である画像形成装置の要部を示す概略一部断面構成図である。
【図２】図１に示す画像形成装置の電源基板と冷却ファンおよびサーマルヘッド近傍を示す概略構成平面図である。
【符号の説明】
【００３０】
１    画像形成装置（熱転写プリンタ）
１１  筐体
２    サーマルヘッド（熱源）
２２  支持体
５    電源基板
５１  基板
５２  電源トランス（他の熱発生部品）
５３  電圧制御素子（他の熱発生部品）
５４  コイル（他の熱発生部品）
６    定着部（熱源）
７    冷却ファン
８    放熱板
【図１】
2005111713.tif 000003
【図２】
2005111713.tif 000004